(57)【要約】【課題】  撮像光学系とファインダー光学系と撮影画像等の表示を行なう表示手段（ＬＣＤ）を有するデジタルカメラにおいて、ファインダー光学系はその対物側窓が撮影レンズとは異なる位置に設けられているため両者の光軸は一致することが無くパララックスが発生する。【解決手段】  パララックス量より算出した観察領域と撮像画像とをＬＣＤに多重表示することで、パララックスを撮影者が視覚的に確認することができ、パララックスによるフレーミングの失敗を防止することができる。【選択図】  図４
2007036982.tif 000002
【特許請求の範囲】
【請求項１】
撮像素子により撮像された撮像画像を表示する表示手段と、撮像素子とは異なる光軸を有するファインダー光学系と、撮像素子から被写体までの距離を算出する測距手段とを備えた撮像装置において、撮影レンズの焦点距離と該測距手段で算出された距離情報から該撮像画像とファインダー光学系による観察領域とのズレであるパララックス量を算出するパララックス量演算手段を備え、該観察領域と該撮像画像を表示手段に多重表示できることを特徴とした撮像装置。
【請求項２】
表示手段の該撮像画像の表示／非表示を切り替え可能とし、表示手段に該観察領域を表示しかつ撮像画像を非表示の時でも、第一レリーズを押している間は表示手段に該観察領域を表示することを特徴とする請求項１記載の撮像装置。
【請求項３】
所定の操作手段を操作することにより所定の時間の間だけ該観察領域を表示することを特徴とする請求項２記載の撮像装置。
【請求項４】
該観察領域を表示中、連続的に測距を行なうことを特徴とする請求項１記載の撮像装置。
【請求項５】
撮影時に撮像画像と観察領域を同時に記録することを特徴とする請求項１記載の撮像装置。
【発明の詳細な説明】
【技術分野】
【０００１】
本発明はファインダー光学系を備えたデジタルカメラにおいて、発生するパララックスを確認するための表示方法に関する。
【背景技術】
【０００２】
撮像光学系と、それと異なる光軸を有するファインダー光学系（ＯＶＦ）と撮影画像等の表示を行なう表示手段（ＬＣＤ）を有するデジタルカメラでは、電池の持ちを長くするためにＬＣＤではなくＯＶＦを用いて撮影するを行う。しかし、ＯＶＦを通して見た観察領域と撮像光学系を通して撮影した撮像領域ではパララックスが生じるために思い通りのフレーミングができないといった問題があった。
【０００３】
そこで、従来は前記パララックスを補正するためにＯＶＦの視野を変更する機構や、実際の撮像領域よりも大きな撮像素子を用いて、ＯＶＦを通して見た観察領域に該当する領域のみを記録する撮像装置がある。（特許文献１参照）
【特許文献１】特開2004-072189
【発明の開示】
【発明が解決しようとする課題】
【０００４】
上記パララックスを補正するためにＯＶＦの視野を変更する機構は、部品点数の増加によりコストが上がるともにファインダー光学系の機構が複雑化しデジタルカメラとして大型化してしまう課題がある。
【０００５】
また、実際の撮像領域よりも大きな撮像素子を用いて、ＯＶＦを通して見た観察領域に該当する領域のみを記録する方法では撮像素子のコストが上がるという課題がある。
【課題を解決するための手段】
【０００６】
撮像素子により撮像された撮像画像を表示する表示手段と、撮像素子とは異なる光軸を有するファインダー光学系と、撮像素子から被写体までの距離を算出する測距手段、とを備えた撮像装置において、撮影レンズの焦点距離と該測距手段で算出された距離情報から、該表示手段に表示する撮像画像とファインダー光学系からの観察領域とのズレであるパララックス量を算出するパララックス量演算手段を備え、表示手段に該パララックス量に基づき算出した観察領域と撮像画像を多重表示できることを特徴とした撮像装置。
【０００７】
該撮像装置は、パララックス量に基づき算出した観察領域の表示手段への表示／非表示を切り替え可能とし、表示手段に該観察領域を表示しかつ撮像画像を非表示の時でも、第一レリーズを押している間は表示手段に該観察領域を表示する。
【０００８】
該撮像装置は、所定の操作手段を操作することにより所定の時間の間だけ該観察領域を表示する。該撮像装置は、該観察領域を表示中、コンティニュアスＡＦを行なう。
【０００９】
該撮像装置は、該観察領域を表示しているときの撮影画像の表示は表示装置の表示エリアよりも小さい。
【００１０】
該撮像装置は、表示装置非表示での撮影時のみ該観察領域を記録する。
【００１１】
該撮像装置は、該観察領域を表示時、表示手段上の撮像画像の大きさをパララックス量に応じて変更する。
【発明の効果】
【００１２】
本発明により、ファインダー光学系を用いての撮影でパララックスが発生する状況においても、パララックス量より算出した観察領域と撮像領域とをＬＣＤに多重表示することで、パララックスを撮影者が視覚的に確認することができパララックスによるフレーミングの失敗を防止することができる。
【発明を実施するための最良の形態】
【００１３】
（実施例１）
以下、本発明の実施の形態を図面を参照しながら説明する。
【００１４】
図１は本実施例で用いるデジタルカメラ１の正面図、図２はデジタルカメラ１の上面図、図３はデジタルカメラ１の背面図である。
【００１５】
デジタルカメラ正面には被写体をデジタルカメラ内部の撮像素子に結像させるためのフォーカスレンズや焦点距離を変更するためのズームレンズなどの撮影レンズ及び鏡筒ユニット２、被写体の光量が不足した場合の補助光を投光するストロボ３、ファインダー光学系の対物側窓４とを備える。デジタルカメラ上面には、デジタルカメラの電源ＯＮ／ＯＦＦを操作するパワーボタン５とレリーズボタン６とを備える。該レリーズボタン６はレリーズ動作を開始するためのスイッチで、半押しの第一レリーズと全押しの第二レリーズとの二段階に渡って押下するように構成され、第一レリーズで被写体との測距や測光等を開始しシャッター速度や絞り値等の撮影条件を決定する。第二レリーズでシャッター動作を開始し被写体像の撮像素子への入光を行う。
【００１６】
被写体から撮像素子までの測距は、フォーカスレンズを少しずつ一定方向に移動させ、移動中の画像それぞれの高周波成分をモニターした結果、高周波成分がピークになったときのフォーカスレンズ位置を合焦位置と判断して被写体までの距離を決定し、フォーカスレンズをピーク値を露光した位置まで移動させる。
【００１７】
デジタルカメラ背面にはファインダー光学系の接眼側窓７、表示手段であるＬＣＤ８、撮影条件の設定などを入力する操作ボタン９を備える。
【００１８】
操作ボタンは、再生モード時においては、再生される写真画像の送り、戻しなどを行い、撮影モード時においては、露出の調整や撮影レンズ鏡胴のズーム調整などを行う。また、各種設定変更に用いられ、例えば、撮影時における写真画像の画像サイズの変更などを行う。ＬＣＤの表示／非表示切り替えボタン１０は、撮影モード時において、液晶ディスプレイの表示／非表示を切り替えるためのスイッチである。
【００１９】
デジタルカメラ背面にある接眼側窓７は、デジタルカメラ前面に設けられている対物側窓４から入射した被写体光が到達し撮影者が接眼側窓７を覗くことにより、撮影画角の確認を行うことが出来る。ＬＣＤ８は撮影モード時においては、撮影レンズ及び鏡筒ユニット２に入射した被写体光を撮像素子により光電変換して得られた撮像画像をリアルタイムで表示すると共に、再生モード時においては、撮影しデジタルカメラ１内蔵のメモリーや着脱自在なメモリーカードなどの記録媒体に保存された撮像画像を再生表示する。ＬＣＤ８のリアルタイム表示により、撮影レンズ及び鏡筒ユニット２により撮影される撮像画像を確認することが出来る。
【００２０】
ＬＣＤの表示／非表示によって、撮影時において撮影画角の確認の作業が異なることとなる。すなわち、ＬＣＤを表示する場合は、リアルタイムの撮像画像を確認することで撮影画角の確認を行うことができ、一方、ＬＣＤが非表示の場合は、ファインダー光学系を用いて撮影画角の確認を行うことができる。図１に示すようにファインダー光学系はその対物側窓４が撮影レンズ２とは異なる位置に設けられているため両者の光軸は一致することが無く、パララックスを有することとなる。
【００２１】
図４はＬＣＤ表示領域の概略図である。ＬＣＤ８のＬＣＤ表示領域１１に撮像画像１２と観察領域１３を多重表示しており、撮像画像１２は撮影レンズ及び鏡筒ユニット２に入射した被写体光を撮像素子により光電変換して得られた撮像画像である。観察領域１３は、上記測距により決定した被写体１４までの距離と撮影レンズの焦点距離からパララックス演算手段がパララックス量を算出し、ファインダー光学系による撮影画角をＬＣＤ８上の被写体１４に合わせて表示した領域である。図４より観察領域１３では被写体が中央に位置しているが、撮像画像１２では被写体１４の上に偏って位置している。この状況で撮影者がファインダー光学系のみを用いて撮影画角を決定し、レリーズボタン６を押下した場合、被写体１４である花が上方向に偏った配置の撮像画像１２が保存される。そこで、本発明ではファインダー覗いて撮影する場合でもＬＣＤ８に多重表示された観察領域１３と撮像画像１２を確認することでパララックスの発生とそのパララックス量を視覚的に確認することができ、フレーミングの失敗を防ぐことが出来る。
【００２２】
撮影モードにおいて、ＬＣＤの表示／非表示切り替えボタン１０を操作し、第一レリーズを押下している間のみＬＣＤ８に観察領域１３と撮像画像１２を多重表示し、それ以外ではＬＣＤ８を非表示になるように設定することで、ＬＣＤ８の表示時間を必要最低限に抑え電池の消費を抑えることが可能である。または、第一レリーズを押下したあと所定の時間の間だけＬＣＤ８に観察領域１３と撮像画像１２を多重表示するように設定することでレリーズボタン６から指を離してもパララックスを確認することができ、多重表示を見ながらでもその他の操作ボタン９を押下することが可能になり操作性が向上する。
【００２３】
撮影モードにおいて、連続的に測距を行い、連続的に測定される被写体距離よりパララックス量を算出し、リアルタイムで観察領域１３をＬＣＤ８に多重表示することで、被写体距離の変化に伴いパララックス量が変化してもリアルタイムで正確なパララックスを視覚的に確認することが出来る。
【００２４】
撮影モードにおいて、撮像画像を記録媒体に保存するときに撮像画像１２と観察領域１３を同時に保存することで、再生モード時に撮像画像１２と観察領域１３をＬＣＤ８に多重表示させ、ファインダーを覗いて撮影したときのパララックスを後から確認することができフレーミングミスの原因を確認でき、以後のフレーミングの失敗を防止することができる。
【図面の簡単な説明】
【００２５】
【図１】デジタルカメラの正面図。
【図２】デジタルカメラの上面図。
【図３】デジタルカメラの背面図。
【図４】デジタルカメラ背面のＬＣＤの概略図。
【符号の説明】
【００２６】
１  デジタルカメラ
２  撮影レンズ及び鏡筒ユニット
３  ストロボ
４  ファインダー光学系の対物側窓
５  パワーボタン
６  レリーズボタン
７  ファインダー光学系の接眼側窓
８  ＬＣＤ
９  操作ボタン
１０  ＬＣＤの表示／非表示切り替えボタン
１１  ＬＣＤ表示領域
１２  撮像画像
１３  観察領域
１４  ＬＣＤに表示された被写体
【図１】
2007036982.tif 000003
【図２】
2007036982.tif 000004
【図３】
2007036982.tif 000005
【図４】
2007036982.tif 000006